(57)【要約】【課題】符号化多重方式を適用した無線システムについて、拡散率が低い場合や送信電力制御がなされている場合であっても、他のユーザからの干渉を変化させ、干渉の影響を平滑化することができる無線送信装置、無線受信装置及びプログラムを提供する。【解決手段】無線送信装置１は、符号多重方式の最大多重数ｎに基づいて、ｎユーザのシンボルのグループを同時に符号化するｎ個の符号化器１０２と、該符号化器から出力された拡散信号を多重化する加算器１０４とを有し、多重化された送信信号を変調して送信する。その無線送信装置１は、ｍ（ｍ＞ｎ）個のユーザに対するシンボルを送信する際、一定タイミング毎に、ｎユーザのシンボルのグループに含まれるユーザの組合せを変化させ、且つ、ユーザ毎のシンボルに対する符号化器の拡散符号を変化させる拡散制御手段１１を有する。【選択図】図２
2009038626.tif 000002
【特許請求の範囲】
【請求項１】
符号多重方式の最大多重数ｎに基づいて、ｎユーザのシンボルのグループを同時に符号化するｎ個の符号化器と、該符号化器から出力された拡散信号を多重化する加算器とを有し、多重化された送信信号を変調して送信する無線送信装置において、
ｍ（ｍ＞ｎ）ユーザに対するシンボルを送信する際、一定タイミング毎に、ｎユーザのグループに含まれるユーザの組合せを変化させ、且つ、ユーザ毎のシンボルに対する符号化器の拡散符号を変化させる拡散制御手段を有することを特徴とする無線送信装置。
【請求項２】
前記拡散制御手段は、
前記ｍ（ｍ＞ｎ）ユーザ毎に入力される並列のシンボル列を、直列のシンボル列に変換する並列直列変換手段と、
前記直列のシンボル列を、ランダムに並び替えるインタリーブ手段と、
前記インタリーブされたシンボル列を、前記ｎユーザのシンボルのグループ毎に組み合わせるグループ構成手段と、
前記グループ毎の直列のシンボル列を、並列のｎ個のシンボル列に変換し、並列の各シンボル列を、前記ｎ個の符号化器へそれぞれ出力する直列並列変換手段と
を有することを特徴とする請求項１に記載の無線送信装置。
【請求項３】
前記グループ構成手段は、前記インタリーブされたシンボル列を一時的に蓄積し、前記ｎユーザのシンボルのグループ毎に出力するバッファであることを特徴とする請求項２に記載の無線送信装置。
【請求項４】
無線受信装置に対する電波の送信電力を制御する送信電力制御手段を更に有することを特徴とする請求項１から３のいずれか１項に記載の無線送信装置。
【請求項５】
前記拡散制御手段から出力された各シンボル列、及び／又は、前記符号化器から出力された各拡散信号に対して、スイッチとして通すか否かを選択する選択手段と、
送信するユーザにおける前記拡散制御手段の入力位置に応じて、前記選択手段のスイッチを制御する、ユーザ位置選択信号を送信するユーザ位置選択手段と
を更に有することを特徴とする請求項１から４のいずれか１項に記載の無線送信装置。
【請求項６】
請求項１から５のいずれか１項に記載の無線送信装置から受信したデータを復調する復調手段と、復調された受信信号を、符号多重方式の最大多重数ｎに基づいてｎ個の受信信号に複製する信号複製手段と、複製された受信信号毎に同時に復号するｎ個の復号手段とを有する無線受信装置であって、
ｎ個の復号されたシンボル列を、前記無線送信装置の前記拡散制御手段に対応して、ユーザ毎にシンボル列を元の並びに戻す逆拡散制御手段を更に有することを特徴とする無線受信装置。
【請求項７】
前記逆拡散制御手段は、
前記ｎ個の復号された並列のシンボル列を、直列のシンボル列に変換する並列直列変換手段と、
前記直列のシンボル列を、前記ｍ個のシンボルのグループ毎に組み合わせるグループ構成手段と、
前記グループ毎の直列のシンボル列を、前記無線送信装置の前記拡散制御手段に対応して、元の並びに戻すデインタリーブ手段と、
前記デインタリーブされた直列のシンボル列を、並列のｍ個のシンボル列に変換し、各シンボル列をユーザ毎にそれぞれ出力する直列並列変換手段と
を有することを特徴とする請求項６に記載の無線受信装置。
【請求項８】
前記グループ構成手段は、前記直列のシンボル列を一時的に蓄積し、前記ｍ個のシンボルのグループ毎に出力するバッファであることを特徴とする請求項７に記載の無線受信装置。
【請求項９】
符号多重方式の最大多重数ｎに基づいて、ｎユーザのシンボルのグループを同時に符号化するｎ個の符号化器と、該符号化器から出力された拡散信号を多重化する加算器とを有し、多重化された送信信号を変調して送信する無線送信装置に搭載されたコンピュータを機能させるプログラムにおいて、
ｍ（ｍ＞ｎ）ユーザに対するシンボルを送信する際、一定タイミング毎に、ｎユーザのグループに含まれるユーザの組合せを変化させ、且つ、ユーザ毎のシンボルに対する符号化器の拡散符号を変化させる拡散制御手段としてコンピュータを機能させることを特徴とする無線送信装置用のプログラム。
【請求項１０】
請求項１から５のいずれか１項に記載の無線送信装置から受信したデータを復調する復調手段と、復調された受信信号を、符号多重方式の最大多重数ｎに基づいてｎ個の受信信号に複製する信号複製手段と、複製された受信信号毎に同時に復号するｎ個の復号手段とを有する無線受信装置に搭載されたコンピュータを機能させるプログラムであって、
ｎ個の復号されたシンボル列を、前記無線送信装置の前記拡散制御手段に対応して、ユーザ毎にシンボル列を元の並びに戻す逆拡散制御手段としてコンピュータを機能させることを特徴とする無線受信装置用のプログラム。
【発明の詳細な説明】
【技術分野】
【０００１】
本発明は、ユーザ毎の無線リソースを並び替える無線送信装置、無線受信装置及びプログラムに関する。特に、符号多重方式を適用したシステムであって、基地局と移動局との間のデータ送受信に適する。
【背景技術】
【０００２】
符号化多重方式によれば、無線送信装置は、ユーザの原シンボル列に、ユーザ毎に個別の拡散符号を乗算した拡散信号を送信する。これによって、無線送信装置は、複数の無線受信装置に対して、同一時間や同一周波数を用いてデータを送信することができる。また、無線受信装置は、ユーザ毎の拡散符号を用いて、受信した拡散信号を逆拡散することによって、原シンボル列を抽出する。このような拡散処理及び逆拡散処理によって、帯域内雑音や、同一時間や同一周波数内における他のユーザの信号成分を、除去することができる。
【０００３】
図１は、従来技術における無線送信装置の機能構成図である。
【０００４】
図１によれば、基地局と移動局とが、無線リンクを介して通信している。ここでは、基地局を無線送信装置１とし、移動局を無線受信装置２として、下りリンクのデータ送信を想定して説明する。
【０００５】
図１の無線送信装置１は、多重数ｎに応じた数の送信電力制御部１０１及び符号化器１０２と、符号制御部１０３と、加算器１０４と、デジタル変調部１０５と、アンテナ１０６とを有する。
【０００６】
送信電力制御部１０１は、ユーザ毎に、各無線受信装置２に対する電波の送信電力を制御する。そして、ユーザ毎のシンボル列はそれぞれ、符号化器１０２へ出力される。図１によれば、送信電力制御部１０１は、基地局が移動局へデータを送信する下りリンクの電波について、その送信電力を制御している。基地局は、各移動局によって受信される基地局からの受信信号レベルが一定以上となるようにする。基地局と各移動局との間は、距離や通信環境が異なるために、各移動局の受信信号レベルに応じてその移動局へ送信する電波の送信電力を制御する。尚、図１について、送信電力制御部１０１は、符号化器１０２と加算器１０４との間に備えられるものであってもよい。また、無線送信装置自体が、送信電力制御部１０１を備えない場合もある。
【０００７】
符号化器１０２は、ユーザのシンボル列を入力し、符号制御部１０３から指示された拡散符号(Code)によって符号化する。符号化された全ての拡散信号は、加算器１０４に入力される。
【０００８】
符号制御部１０３は、符号化器１０２毎に指示する拡散符号を、一定タイミング毎に、各ユーザで異なるように制御する（例えば非特許文献１参照）。ここで、例えば、ユーザ毎の拡散符号が常に一定であると考えると、同時に送信されるユーザ同士の間で干渉の影響がある場合、その干渉はあまり変化しない。従って、同一ユーザにおけるデータであっても、一定タイミング毎にその拡散符号を変化させることによって、他のユーザからの干渉の影響を強制的に変化させることができる。これによって、干渉の平滑化が実現でき、結果的に無線通信品質を向上させることにつながる。
【０００９】
図１には、複数の符号化器１０２から出力された拡散信号の無線リソース割り当てが表されている。図１によれば、ユーザ１のシンボル列が[a1,a2,・・・]で表され、ユーザ２のシンボル列が[b1,b2,・・・]で表され、ユーザ３のシンボル列が[c1,c2,・・・]で表され、ユーザ４のシンボル列が[d1,d2,・・・]で表されている。ここで、同じ無線リソース（時間又は周波数）に割り当てられるグループに含まれるユーザは、常に、ユーザ１〜４が含まれる。即ち、[a1,b1,c1,d1]、[a2,b2,c2,d2]、[a3,b3,c3,d3]、・・・がそれぞれ無線リソースを割り当てるグループになる。
【００１０】
但し、このとき、拡散符号は、一定タイミング毎（図１によれば１シンボル毎）に変化させている。例えば、ユーザ１については、第１にCode1でa1を符号化し、第２にCode2でa2を符号化し、第３にCode3でa3を符号化している。一方で、ユーザ２については、第１にCode2でb1を符号化し、第２にCode3でb2を符号化し、第３にCode4でb3を符号化している。
【００１１】
加算器１０４は、複数の符号化器１０２から出力された拡散信号を多重化する。その多重化信号は、デジタル変調部１０５へ出力される。
【００１２】
デジタル変調部１０５は、多重化信号を変調し、割当クロック情報に基づいて無線リソース（時間又は周波数）にマッピングする。そのマッピングされた送信信号は、アンテナ１０６を介して無線受信装置２へ送信される。
【００１３】
図１によれば、拡散率「４」及び多重数「４」として説明している。拡散率「４」の場合、元の帯域（時間）に対して４倍の帯域（時間）に拡散することを意味する。４倍の帯域に拡散したとしても、ユーザ毎に個別の拡散符号を割り当てることにより、最大４ユーザまで多重することができる。図１によれば、４個の符号化器１０２を有し、ユーザ毎のシンボル列がそれぞれ、各符号化器１０２へ入力される。尚、拡散率とは、情報信号の最小単位である１シンボルの情報をどれだけの領域に拡散するかを表す。また、シンボルは、数ビットから構成され、変調方式によって異なる。
【００１４】
【非特許文献１】3GPP, R1-073072, KDDI, “UplinkData-non-associated Control Signaling in E-UTRA”, Jun25-29, 2007.
【発明の開示】
【発明が解決しようとする課題】
【００１５】
しかしながら、無線送信装置が、符号制御部によって各符号化器の拡散符号を、一定タイミング毎に変化させたとしても、拡散率が低い場合、利用される拡散符号の数も少ない。この場合、少ない数の拡散符号の範囲内で変化するだけであり、他のユーザとの間の干渉の影響を大きく変化させることはできない。結局、干渉の平滑化の効果が少なく、無線通信品質の向上が見込まれない。
【００１６】
また、同じ無線リソース領域に、符号によって多重化されたユーザのグループである多重化グループに含まれるユーザは、常に同一であるために、結局、他のユーザからの平均的な干渉量も変化しない。結局、多重化グループ内でそのユーザの拡散符号を変化させたとしても、無線通信品質はあまり向上しない。
【００１７】
更に、無線送信装置が送信電力制御を機能させている場合、無線送信装置からみて遠隔に位置する無線受信装置へは、強い送信電力で送信する。一方で、無線送信装置からみて近傍に位置する無線受信装置へは、弱い送信電力で送信する。このとき、遠隔に位置する無線受信装置への強い送信電力の電波によって、近傍に位置する無線受信装置は、干渉の影響を受ける。このような課題は、拡散符号の数が少ないことによる干渉の影響の少ない変化と、同時に送信する多重化グループに含まれるユーザが常に同一であることによって、顕著に表れる。
【００１８】
そこで、本発明は、符号化多重方式を適用した無線システムについて、拡散率が低い場合や送信電力制御が機能している場合であっても、他のユーザからの干渉を強制的に変化させ、干渉の影響を平滑化することができる無線送信装置、無線受信装置及びプログラムを提供することを目的とする。
【課題を解決するための手段】
【００１９】
本発明によれば、符号多重方式の最大多重数ｎに基づいて、ｎユーザのシンボルのグループを同時に符号化するｎ個の符号化器と、該符号化器から出力された拡散信号を多重化する加算器とを有し、多重化された送信信号を変調して送信する無線送信装置において、
ｍ（ｍ＞ｎ）ユーザに対するシンボルを送信する際、一定タイミング毎に、ｎユーザのグループに含まれるユーザの組合せを変化させ、且つ、ユーザ毎のシンボルに対する符号化器の拡散符号を変化させる拡散制御手段を有することを特徴とする。
【００２０】
本発明の無線送信装置における他の実施形態によれば、拡散制御手段は、
ｍ（ｍ＞ｎ）ユーザ毎に入力される並列のシンボル列を、直列のシンボル列に変換する並列直列変換手段と、
直列のシンボル列を、ランダムに並び替えるインタリーブ手段と、
インタリーブされたシンボル列を、ｎユーザのシンボルのグループ毎に組み合わせるグループ構成手段と、
グループ毎の直列のシンボル列を、並列のｎ個のシンボル列に変換し、並列の各シンボル列を、ｎ個の符号化器へそれぞれ出力する直列並列変換手段と
を有することも好ましい。
【００２１】
本発明の無線送信装置における他の実施形態によれば、グループ構成手段は、インタリーブされたシンボル列を一時的に蓄積し、ｎユーザのシンボルのグループ毎に出力するバッファであることも好ましい。
【００２２】
本発明の無線送信装置における他の実施形態によれば、無線受信装置に対する電波の送信電力を制御する送信電力制御手段を更に有することも好ましい。
【００２３】
本発明の無線送信装置における他の実施形態によれば、
拡散制御手段から出力された各シンボル列、及び／又は、符号化器から出力された各拡散信号に対して、スイッチとして通すか否かを選択する選択手段と、
送信するユーザにおける拡散制御手段の入力位置に応じて、選択手段のスイッチを制御する、ユーザ位置選択信号を送信するユーザ位置選択手段と
を更に有することも好ましい。
【００２４】
本発明によれば、前述した無線送信装置から受信したデータを復調する復調手段と、復調された受信信号を、符号多重方式の最大多重数ｎに基づいてｎ個の受信信号に複製する信号複製手段と、複製された受信信号毎に同時に復号するｎ個の復号手段とを有する無線受信装置であって、
ｎ個の復号されたシンボル列を、無線送信装置の拡散制御手段に対応して、ユーザ毎にシンボル列を元の並びに戻す逆拡散制御手段を更に有することを特徴とする。
【００２５】
本発明の受信装置における他の実施形態によれば、逆拡散制御手段は、
ｎ個の復号された並列のシンボル列を、直列のシンボル列に変換する並列直列変換手段と、
直列のシンボル列を、ｍ個のシンボルのグループ毎に組み合わせるグループ構成手段と、
グループ毎の直列のシンボル列を、無線送信装置の拡散制御手段に対応して、元の並びに戻すデインタリーブ手段と、
デインタリーブされた直列のシンボル列を、並列のｍ個のシンボル列に変換し、各シンボル列をユーザ毎にそれぞれ出力する直列並列変換手段と
を有することも好ましい。
【００２６】
本発明の受信装置における他の実施形態によれば、グループ構成手段は、直列のシンボル列を一時的に蓄積し、ｍ個のシンボルのグループ毎に出力するバッファであることも好ましい。
【００２７】
また、本発明によれば、符号多重方式の最大多重数ｎに基づいて、ｎユーザのシンボルのグループを同時に符号化するｎ個の符号化器と、該符号化器から出力された拡散信号を多重化する加算器とを有し、多重化された送信信号を変調して送信する無線送信装置に搭載されたコンピュータを機能させるプログラムにおいて、
ｍ（ｍ＞ｎ）ユーザに対するシンボルを送信する際、一定タイミング毎に、ｎユーザのグループに含まれるユーザの組合せを変化させ、且つ、ユーザ毎のシンボルに対する符号化器の拡散符号を変化させる拡散制御手段としてコンピュータを機能させることを特徴とする。
【００２８】
更に、本発明によれば、前述した無線送信装置から受信したデータを復調する復調手段と、復調された受信信号を、符号多重方式の最大多重数ｎに基づいてｎ個の受信信号に複製する信号複製手段と、複製された受信信号毎に同時に復号するｎ個の復号手段とを有する無線受信装置に搭載されたコンピュータを機能させるプログラムであって、
ｎ個の復号されたシンボル列を、無線送信装置の拡散制御手段に対応して、ユーザ毎にシンボル列を元の並びに戻す逆拡散制御手段としてコンピュータを機能させることを特徴とする。
【発明の効果】
【００２９】
本発明の無線送信装置、無線受信装置及びプログラムによれば、一定タイミング毎に、多重化グループに含まれるユーザの組合せを変化させ、且つ、ユーザ毎のシンボルに対する符号化器の拡散符号を変化させることができるので、拡散率が低い場合や送信電力制御が機能している場合であっても、他のユーザからの干渉を強制的に変化させ、干渉の影響を平滑化することができる。
【発明を実施するための最良の形態】
【００３０】
以下では、図面を用いて、本発明を実施するための最良の形態について詳細に説明する。
【００３１】
無線送信装置は、複数の移動局へデータを送信する基地局に搭載され、下り方向の無線リンクに適用される場合と、基地局へデータを送信する移動局に搭載され、上り方向の無線リンクに適用される場合とがある。以下では、無線送信装置について、基地局に搭載される場合と、移動局に搭載される場合とを分けて、説明する。
【００３２】
図２は、本発明における下りリンクの無線送信装置の機能構成図である。
【００３３】
本発明の無線送信装置１は、拡散制御部１１と、送信電力制御部１０１と、符号化器１０２と、加算器１０４と、デジタル変調部１０５と、アンテナ１０６とを有する。図１の無線送信装置１と比較して、拡散制御部１１を備え、且つ、符号制御部１０３を備えていない点で相違する。それ以外の送信電力制御部１０１、符号化器１０２、加算器１０４、デジタル変調部１０５及びアンテナ１０６の機能は、図１を用いて説明した内容と同様である。
【００３４】
拡散制御部１１は、ｍ（ｍ＞最大多重数ｎ）ユーザに対するシンボルを送信する際、一定タイミング毎に、ｎユーザのシンボルのグループに含まれるユーザの組合せを変化させ、且つ、ユーザ毎のシンボルに対する符号化器の拡散符号を変化させる。これによって、同時に送信する多重化グループに含まれるユーザを変化させ、且つ、ユーザ毎の拡散符号も変化させる。これによって、他のユーザからの干渉を強制的に変化させ、干渉の影響を平滑化することができる。
【００３５】
図１の従来技術によれば、一度に送信可能な最大ユーザ数は、拡散符号の数と一致する。これに対し、図２の本発明によれば、最大多重数ｎよりも多い数のユーザのデータを、拡散制御部１１に入力することができる。
【００３６】
拡散制御部１１は、並列直列変換部１１１と、インタリーブ部１１２と、グループ構成部１１３と、直列並列変換部１１４とを有する。これら機能構成部は、無線送信装置に搭載されたコンピュータを機能させるプログラムを実行することによって実現できる。
【００３７】
並列直列変換部１１１は、ｍ（ｍ＞最大多重数ｎ）ユーザ毎に入力される並列のシンボル列を、直列のシンボル列に変換する。ユーザ毎のシンボルを１個ずつ、巡回的に挿入する。直列のシンボル列は、インタリーブ部１１２へ出力される。
【００３８】
図２によれば、ユーザ１のシンボル列が[a1,a2,・・・]で表され、ユーザ２のシンボル列が[b1,b2,・・・]で表され、続いて、ユーザ７のシンボル列が[g1,g2,・・・]で表されている。このとき、並列直列変換部１１１は、直列のシンボル列[a1,b1,c1,・・・,g1,a2,b2,c2,・・・,g2,a3,b3,c3,・・・・・]に変換する。
【００３９】
インタリーブ部１１２は、直列のシンボル列を、１つのインタリーブパターンに基づいて、ランダムに並び替える。従って、無線送信装置１のインタリーブ部１１２と、後述する無線受信装置のデインタリーブ部とは、同一インタリーブパターンに基づいて、並び替えの処理を実行する。図２によれば、インタリーブ部１１２は、例えば[b1,c2,a2,f1,e2,a1,g1,b2,d1,c1,a3,b3,c2,e1,d2,a4,・・・]のように並び替えている。
【００４０】
グループ構成部１１３は、インタリーブされたシンボル列を、ｎユーザのシンボルのグループ毎に組み合わせて、直列並列変換部１１４へ出力する。ここで、グループ構成部１１３は、インタリーブされたシンボル列を一時的に蓄積し、ｎユーザのシンボルのグループ毎に出力するバッファであってもよい。図２によれば、グループ構成部１１３は、例えば[b1,c2,a2,f1],[e2,a1,g1,b2],[d1,c1,a3,b3],[c2,e1,d2,a4],[・・・]のグループ毎に出力している。
【００４１】
直列並列変換部１１４は、グループ毎の直列のシンボル列を、並列のｎ個のシンボル列に変換し、並列の各シンボル列を、ｎ個の送信電力制御部１０１へそれぞれ出力する。
【００４２】
送信電力制御部１０１は、ユーザ毎に、各無線受信装置２に対する電波の送信電力を制御する。そして、ユーザ毎の拡散信号はそれぞれ、符号化器１０２へ出力される。尚、送信電力制御部１０１は、拡散制御部１１の前段に備えられてもよいし、符号化器１０２と加算器１０４との間に備えられていてもよい。また、無線送信装置自体が、送信電力制御部１０１を備えない場合もある。
【００４３】
符号化器１０２にはそれぞれ、拡散符号が予め設定されている。そして、符号化器１０２は、並列の各シンボル列を、それぞれの拡散符号(Code)によって符号化する。符号化された全ての拡散信号は、加算器１０４に入力される。
【００４４】
ここで、同時に送信されるグループに含まれるユーザは、常に、ランダムなユーザが含まれる。即ち、図２によれば、[b1,c2,a2,f1],[e2,a1,g1,b2],[d1,c1,a3,b3],[c3,e1,d2,a4],[・・・]のグループで無線リソース（時間又は周波数）が割り当てられることになる。このとき、同一ユーザであっても、一定タイミング毎に、更に拡散符号が変化する。例えば、ユーザ１は、第１にCode3でa2を符号化し、第２にCode2でa1を符号化し、第３にCode3でa3を符号化している。一方で、ユーザ２は、第１にCode1でb1を符号化し、第２にCode4でb2を符号化し、第３にCode4でb3を符号化している。
【００４５】
加算器１０４は、複数の符号化器１０２から出力された拡散信号を多重化する。その多重化信号は、デジタル変調部１０５へ出力される。
【００４６】
デジタル変調部１０５は、多重化信号を変調し、割当クロック情報に基づいて無線リソースにマッピングする。そして、その送信信号は、アンテナ１０６を介して、無線受信装置２へ送信される。
【００４７】
図３は、本発明における上りリンクの無線送信装置の機能構成図である。
【００４８】
図３の場合、図２と比較して、複数の他のユーザの信号は存在しない。また、図３によれば、図２の機能構成に加えて、ユーザ位置選択部１２と、信号複製器１０９と、第１の選択器１０７と、第２の選択器１０８とを更に有する。
【００４９】
ユーザ位置選択部１２は、当該移動局から送信するユーザにおける拡散制御部１１の入力位置に応じて、第１の選択器１０７及び第２の選択器１０８のスイッチを制御する、ユーザ位置選択信号を送信する。ユーザ位置選択部１２の内部機能構成は、拡散制御部１１の内部機能構成と一致する。
【００５０】
ユーザ位置選択部１２には、ユーザ毎のユーザ識別情報が入力される。当該ユーザ自身の位置に対応する入力位置には、ユーザ識別情報として例えば「１」を入力し、その他のユーザの位置に対応する入力位置には、ユーザ識別情報として例えば「０」を入力する。また、ユーザ位置選択部１２のインタリーブ部１２２のインタリーブパターンと、拡散制御部１１のインタリーブ部１１２のインタリーブパターンとを同一にすることで、当該ユーザ自身のタイミングで「１」のユーザ位置選択信号が出力される。
【００５１】
信号複製器１０９は、ユーザ位置選択部１２から出力されたユーザ位置選択信号を複製し、第１の選択器１０７及び第２の選択器１０８へ出力する。
【００５２】
選択器は、各信号に対して、スイッチとして通すか否かを選択する。即ち、ユーザ位置制御信号によって切り替わる複数のスイッチを含む。従って、ユーザ位置選択部１２に入力されるユーザ識別情報に応じて、ユーザ位置選択信号によって指示されたユーザのシンボル列のみを、無線送信装置から送信することができる。
【００５３】
第１の選択器１０７は、拡散制御部１１から出力された各シンボル列に対して、スイッチとして接続するか否かを選択するものであり、ｎ入力ｎ出力を実現する。尚、第１の選択器１０７を備える場合、後段の第２の選択器１０８に代えて、単なる加算器を備えていてもよい。但し、この場合、雑音も加算するという不利益が生じる。そのために、後段に第２の選択器１０８を備える方が好ましい。
【００５４】
第２の選択器１０８は、１つ又は複数の信号を接続するものであり、ｎ入力１出力を実現する。複数の信号が入力された場合、加算されて１出力となる。尚、第２の選択器１０８を備える場合、前段の第１の選択器１０７を備えなくてもよい。但し、この場合、ｎ個の符号化の処理をするという不利益が生じる。そのために、前段に第１の選択器を備える方が好ましい。
【００５５】
第２の選択器１０８から出力された１つの信号は、送信電力制御部１０１によって、基地局（無線受信装置）に対する電波の送信電力を制御する。尚、送信電力制御部１０１は、デジタル変調部１０５の後段に備えられてもよいし、（１）拡散制御部１１の前段、（２）符号化器１０２と第２の選択器１０８との間、（３）第１の選択器１０７と符号化器１０２との間、（４）直列並列変換器１１４と第１の選択器１０７との間、（５）拡散制御部１１内の何れかの構成要素の間、のいずれに備えられてもよい。また、無線送信装置自体に、送信電力制御部１０１を備えない場合もある。そして、デジタル変調部１０５は、その送信信号を変調し、割当クロック情報に基づいて無線リソース（時間又は周波数）にマッピングする。そのマッピングされた送信信号は、アンテナ１０６を介して無線受信装置２へ送信される。
【００５６】
図４は、本発明における無線受信装置の機能構成図である。
【００５７】
無線受信装置についても、複数の移動局へデータを送信する基地局に搭載され、上り方向の無線リンクに適用される場合と、基地局へデータを送信する移動局に搭載され、下り方向の無線リンクに適用される場合とがある。但し、無線受信装置については、基地局に搭載される場合と、移動局に搭載される場合とで、機能構成に違いは無い。
【００５８】
図４の無線受信装置２は、基地局からデータを受信する移動局に搭載されており、下り方向の無線リンクの制御チャネルに適用されている。本発明の無線受信装置２は、アンテナ２０６と、デジタル復調部２０４と、信号複製器２０３と、復号器２０１と、逆拡散制御部２１とを有する。
【００５９】
アンテナ２０６によって受信された受信信号は、デジタル復調部２０４によって復調される。復調された多重化信号は、信号複製器２０３へ割当クロック情報に基づいて出力される。
【００６０】
信号複製器２０３は、ｎ個（最大多重数ｎ）の並列の拡散信号に複製する。各拡散信号は、それぞれの復号器２０１へ入力される。
【００６１】
復号器２０１は、無線送信装置１の符号化器１０２に対応するように配置され、同一の固定の拡散符号を備える。復号器２０１は、ユーザの拡散信号を入力し、その拡散符号によって復号する。復号されたシンボル列は、逆拡散制御部２１へ出力される。
【００６２】
逆拡散制御部２１は、ｎ個の復号されたシンボル列を、無線送信装置１の拡散制御部１１に対応して、ユーザ毎にシンボル列を元の並びに戻す。逆拡散制御部２１は、並列直列変換部２１４と、グループ構成部２１３と、デインタリーブ部２１２と、直列並列変換部２１１とを有する。これら機能構成部は、無線受信装置に搭載されたコンピュータを機能させるプログラムを実行することによって実現できる。
【００６３】
並列直列変換部２１４は、ｎ個の復号された並列のシンボル列を、直列のシンボル列に変換する。直列のシンボル列は、グループ構成部２１３へ出力される。
【００６４】
グループ構成部２１３は、直列のシンボル列を、ｍ個のシンボルのグループ毎に組み合わせて、デインタリーブ部２１２へ出力する。尚、グループ構成部２１３は、直列のシンボル列を一時的に蓄積し、ｍ個のシンボルのグループ毎に出力するバッファであってもよい。
【００６５】
デインタリーブ部２１２は、グループ毎に組み合わされたシンボル列を、無線送信装置の拡散制御部１１に対応して、元の並びに戻す。即ち、無線送信装置及び無線受信装置は、同じインタリーブパターンを用いる。元の並びに戻された直列のシンボル列は、直列並列変換部２１１へ出力される。
【００６６】
インタリーブパターンは、予め固定のものであってもよいし、無線リンク確立時に、無線送信装置と無線受信装置との間でインタリーブパターンを交換してもよい。尚、インタリーブパターンの遷移が同じになるように、無線送信装置と無線受信装置の間で同期を取る必要がある。
【００６７】
直列並列変換部２１１は、デインタリーブされた直列のシンボル列を、並列のｍ個のシンボル列に変換し、各シンボル列をユーザ毎にそれぞれ出力する。尚、図２の無線送信装置の並列直列変換部１１１にシンボル列が入力される位置と、図３の無線受信装置の直列並列変換部２１１からシンボル列が出力される位置とは、１対１に対応する。
【００６８】
以上、詳細に説明したように、本発明の無線送信装置、無線受信装置及びプログラムによれば、一定タイミング毎に、多重化グループに含まれるユーザの組合せを変化させ、且つ、ユーザ毎のシンボルに対する符号化器の拡散符号を変化させることができるので、拡散率が低い場合や送信電力制御が機能している場合であっても、他のユーザからの干渉を強制的に変化させ、干渉の影響を平滑化することができる。
【００６９】
尚、現在のところ、第３世代（３Ｇ）移動体通信システムの標準規格が、標準化プロジェクト３ＧＰＰ(3rd Generation Partnership Project)によって検討されている。その検討課題の１つとして、符号多重方式を用いた通信システムにおける、各ユーザに対する無線リソースの割当方法がある。前述した本発明の無線送信装置、無線受信装置及びプログラムは、第３世代移動体通信システムにおける各ユーザの無線リソースの割当技術に適する。
【００７０】
前述した本発明における種々の実施形態によれば、当業者は、本発明の技術思想及び見地の範囲における種々の変更、修正及び省略を容易に行うことができる。前述の説明はあくまで例であって、何ら制約しようとするものではない。本発明は、特許請求の範囲及びその均等物として限定するものにのみ制約される。
【図面の簡単な説明】
【００７１】
【図１】従来技術における無線送信装置の機能構成図である。
【図２】本発明における下りリンクの無線送信装置の機能構成図である。
【図３】本発明における上りリンクの無線送信装置の機能構成図である。
【図４】本発明における無線受信装置の機能構成図である。
【符号の説明】
【００７２】
１  無線送信装置、基地局
１０１  送信電力制御部
１０２  符号化器
１０３  符号制御部
１０４  加算器
１０５  デジタル変調部
１０６  アンテナ
１０７  第１の選択器
１０８  第２の選択器
１０９  信号複製器
１１  拡散制御部
１１１、１２１  並列直列変換部
１１２、１２２  インタリーブ部
１１３、１２３  グループ構成部
１１４、１２４  直列並列変換部
１２  ユーザ位置選択部
２  無線受信装置、移動局
２０１  復号器
２０３  信号複製器
２０４  デジタル復調部
２０６  アンテナ
２１  逆拡散制御部
２１１  直列並列変換部
２１２  デインタリーブ部
２１３  グループ構成部
２１４  並列直列変換部
【図１】
2009038626.tif 000003
【図２】
2009038626.tif 000004
【図３】
2009038626.tif 000005
【図４】
2009038626.tif 000006